(57)【要約】【課題】複数の除湿器をひとまとめにして包装できると共に、除湿器の使用時に包装ユニットを容器に簡単に取付けできる除湿器の包装用容器とする。【解決手段】切り離し用の切り取り部で区画された複数の包装ユニット３を有し、この各包装ユニット３は、天面板４、一対の側面板５、一側底面板６、他側底面板７、その一側底面板６に設けた係合片８、他側底面板７に設けた係合片受部９を備え、複数の除湿器をひとまとめにして包装する時には一側底面板６と他側底面板７を接着などで連結し、除湿器の使用時には包装ユニット３を切り離しすると共に、係合片８と係合片受部９を係合して一側底面板６と他側底面板７を連結するようにする。【選択図】図４
2005088899.tif 000002
【特許請求の範囲】
【請求項１】
切り離し用の切り取り部で区画された複数の包装ユニット３を有し、
前記各包装ユニット３は、天面板４と、その両側部と連続した一対の側面板５と、一方の側面板５と連続した一側底面板６と、他方の側面板５と連続した他側底面板７と、前記一側底面板６に設けた係合片８と、前記他側底面板７に設けた係合片受部９を備え、
前記一側底面板６と他側底面板７を接着又は固着具で連結することで除湿器の容器を保持し、
前記係合片８と係合片受部９を係合して一側底面板６と他側底面板７を連結することで除湿器の容器を保持するようにしたことを特徴とする除湿器の包装用容器。
【請求項２】
係合片８は、一側底面板６の先端縁６ａよりも突出し、かつ係合部８ａを有する形状で、
係合片受部９は、前記係合片８が挿入できると共に、挿入した係合片８の係合部８ａが係合して抜けないようになるスリット溝形状である請求項１記載の除湿器の包装用容器。
【請求項３】
他側底面板７における係合片受部９よりも先端縁７ａ寄りに切り取り部２９を有し、この切り取り部２９よりも先端縁７ａ寄りの先端部分７ｂを、一側底面板６に接着して連結するようにした請求項１又は２記載の除湿器の包装用容器。
【請求項４】
天面板４に空気の流通孔２０が形成され、
天面板４と側面板５の境目に容器取付用孔２２がそれぞれ形成されている請求項１又は２又は３記載の除湿器の包装用容器。
【請求項５】
各天面板４の容器取付用孔２２と対向した一部分４ａが側方に突出している請求項４記載の除湿器の包装用容器。
【請求項６】
一側底面板６、他側底面板７と各側面板５との境目に容器支持用孔２４が、各容器取付用孔２２と対向して形成されている請求項５記載の除湿器の包装用容器。
【発明の詳細な説明】
【技術分野】
【０００１】
本発明は、複数の除湿器をひとまとめにして包装する除湿器の包装用容器に関する。
【背景技術】
【０００２】
容器に吸湿剤を収納しその容器の口部を透湿性非透水性のシートで被覆し、そのシートをアルミシートで被覆した除湿器が知られている。
この除湿器は、使用時にアルミシートを剥離し、透湿性非透水性のシートを透して空気中の湿気を容器内の吸湿剤で吸湿して除湿する。
前述の除湿器は、その使用状態などから複数の除湿器をひとまとめにして店頭に陳列して市販されることがある。
このために、複数の除湿器をひとまとめにして包装して運搬し、店頭において複数の除湿器をひとまとめにして陳列できるようにしている。
【０００３】
このように複数の除湿器をひとまとめにして包装する除湿器の包装用容器が特許文献１に開示されている。
この包装用容器は、切り離し用のミシン目線で区画された複数の包装ユニットを有し、その各包装ユニットは容器の開口縁鍔が入り込む一対の窓部と、この一対の窓部よりも外側寄りに刻設した一対の係合片を備え、複数の除湿器を包装する時には、各包装ユニットの一対の窓部に容器の開口縁鍔を挿入すると共に、両端部分を重ね合せて接着することで容器の上面、両側面、底面を被覆する。
【０００４】
また、除湿器を使用する時には、重ね合せ部分を分離すると共に、包装ユニットを切り離して容器と包装ユニットを分離し、容器のアルミシートを剥離する。
前述のように容器から分離した包装ユニットの一対の係合片の３辺部分を切り離し、残った１つの辺から反転折り曲げし、一対の窓部を容器の開口縁鍔部に挿入すると共に、その一対の係合片の係合部相互を係合することで包装ユニットを容器に取付け、その包装ユニットの一対の窓部間の部分で容器のシートを保護する。
つまり、容器の口部を被覆するシートは破れ易く、使用時に物が当たったり、誤って手の指で突いたりすると破れることがあるので、包装ユニットを再び取付けシートを保護するようにしている。
【０００５】
【特許文献１】特開２００２−９６８６６号公報
【発明の開示】
【発明が解決しようとする課題】
【０００６】
前述した従来の除湿器の包装用容器は、除湿器の運搬時にはもちろんであるが、除湿器の使用時にも容器に取付けてシートの保護として利用できる。
しかし、除湿器の使用時に容器に取付けるには、一対の係合片をそれぞれ切り離して反転折り曲げして相互に係合する状態としなければならず、一対の係合片を相互に係合する状態とするには手間がかかり、面倒である。よって、除湿器の使用時に容器に取付けるのが大変面倒である。
【０００７】
本発明は、前述の課題に鑑みなされたものであり、その目的は、複数の除湿器をひとまとめにして包装できると共に、除湿器の使用時には１つの容器に簡単に取付けできるようにした除湿器の包装用容器を提供することである。
【課題を解決するための手段】
【０００８】
第１の発明は、切り離し用の切り取り部で区画された複数の包装ユニット３を有し、
前記各包装ユニット３は、天面板４と、その両側部と連続した一対の側面板５と、一方の側面板５と連続した一側底面板６と、他方の側面板５と連続した他側底面板７と、前記一側底面板６に設けた係合片８と、前記他側底面板７に設けた係合片受部９を備え、
前記一側底面板６と他側底面板７を接着又は固着具で連結することで除湿器の容器を保持し、
前記係合片８と係合片受部９を係合して一側底面板６と他側底面板７を連結することで除湿器の容器を保持するようにしたことを特徴とする除湿器の包装用容器である。
【０００９】
第２の発明は、第１の発明において係合片８は、一側底面板６の先端縁６ａよりも突出し、かつ係合部８ａを有する形状で、
係合片受部９は、前記係合片８が挿入できると共に、挿入した係合片８の係合部８ａが係合して抜けないようになるスリット溝形状である除湿器の包装用容器である。
【００１０】
第３の発明は、第１又は第２の発明において他側底面板７における係合片受部９よりも先端縁７ａ寄りに切り取り部２９を有し、この切り取り部２９よりも先端縁７ａ寄りの先端部分７ｂを、一側底面板６に接着して連結するようにした除湿器の包装用容器である。
【００１１】
第４の発明は、第１又は第２又は第３の発明において天面板４に空気の流通孔２０が形成され、
天面板４と側面板５の境目に容器取付用孔２２がそれぞれ形成されている除湿器の包装用容器である。
【００１２】
第５の発明は、第４の発明において各天面板４の容器取付用孔２２と対向した一部分４ａが側方に突出している除湿器の包装用容器である。
【００１３】
第６の発明は、第５の発明において一側底面板６、他側底面板７と各側面板５との境目に容器支持用孔２４が、各容器取付用孔２２と対向して形成されている除湿器の包装用容器である。
【発明の効果】
【００１４】
請求項１に係る発明によれば、複数の包装ユニット３の一側底面板６と他側底面板７をそれぞれ連結することで複数の除湿器をひとまとめにして包装できる。
また、除湿器を使用する時には切り取り部で包装ユニット３を切り離すと共に、一側底面板６と他側底面板７の連結を断って包装ユニット３を除湿器の容器から取り外す。この後に、その包装ユニット３の係合片８と係合片受部９を係合して一側底面板６と他側底面板７を連結することで容器に包装ユニット３を取付ける。
このように、一度容器から取り外した包装ユニット３を、係合片８と係合片受部９を係合するだけの簡単な操作で再び容器に取付けでき、除湿器の使用時には包装ユニット３を容器に簡単に取付けできる。
【００１５】
請求項２に係る発明によれば、一側底面板６の先端縁６ａから突出している係合片８をスリット溝形状の係合片受部９に挿入することで一側底面板６と他側底面板７を連結でき、除湿器の使用時に包装ユニット３を容器により一層簡単に取付けできる。
【００１６】
請求項３に係る発明によれば、複数の除湿器をひとまとめにして包装する時に、他側底面板７の先端部分７ｂを一側底面板６に接着して連結するから、一側底面板６と他側底面板７をしっかりと連結して複数の除湿器をしっかり保持できる。
また、除湿器を使用する時には、他側底面板７の切り取り部２９を切り取ることで一側底面板６と他側底面板７の連結が断たれて包装ユニット３を容器から取り外しでき、その作業が簡単である。
【００１７】
請求項４に係る発明によれば、除湿器の使用時に天面板４の流通孔２０から容器内に空気を流通させることができる。
また、容器取付用孔２２に容器のフランジを挿入して保持することができ、複数の除湿器を安定して包装でき、特別にシュリンク包装する必要がなく、シュリンク包装設備が不要である。
【００１８】
請求項５に係る発明によれば、天面板４の一部分４ａで容器１１の取付部を被覆することができる。
よって、包装した状態において容器１１の取付部に接着している防湿性シール１５の一部分１５ａが天面板４の一部分４ａで被覆されて目視されないようにでき、包装した状態の見栄えが良く、そのままの状態で陳列した場合に見栄えが良い。
【００１９】
請求項６に係る発明によれば、容器１１の下方隅角部１１ａが容器支持用孔２４に嵌まり合うので、除湿器１０を運搬時に動くことなしにしっかりとした状態で包装できる。
【発明を実施するための最良の形態】
【００２０】
図１と図２と図３に示すように、包装用容器１は切り離し用の切り取り部、例えばミシン目線２で区画された複数の包装ユニット３を有する。この実施の形態では３つの包装ユニット３を有するが、２つでも、４つ以上でも良い。
前記各包装ユニット３は、天面板４と、この天面板４の両側部と連続した一対の側面板５と、一方の側面板５の先端縁部と連続した一側底面板６と、他方の側面板５の先端縁部と連続した他側底面板７と、前記一側底面板６に設けた係合片８と、前記他側底面板７に設けた係合片受部９を備えている。
この係合片８が係合片受部９に係合して一側底面板６と他側底面板７が連結される。
【００２１】
除湿器１０は図１と図２に示すように、包装用容器１内に複数が収容される形状・大きさの容器１１と、この容器１１内に収納した除湿剤１２と、その容器１１の口部に一体的に設けたフランジ１３と、そのフランジ１３に接着したシート１４と、このシート１４の上面を被覆する防湿性シール１５を備えている。
前記フランジ１３は外向きで、このフランジ１３の平面形状と前記天面板４の平面形状がほぼ同一である。
前記シート１４は空気が流通するが液体が流通しない材質のシートで、除湿器１０の使用時に誤って倒れた時に吸湿して液体となった水が洩れないようにすることを主な目的としている。
【００２２】
複数の除湿器１０をひとまとめにして包装する時には、その一側底面板６と他側底面板７を接着剤又は粘着テープなどの固着具で連結して容器１１を保持し、係合片８と係合片受部９は係合しない。
例えば、図１と図２に示すように、一側底面板６を容器１１の底面に接し、その下面に他側底面板７を重ね合せて接着剤又は粘着テープなどで連結し、係合片８に他側底面板７が重ね合せられるようにしてある。
【００２３】
除湿器を使用する時には、一側底面板６と他側底面板７の連結を断ち、その後に包装ユニット３を切り離し、防湿性シール１５を剥離した後に、図４に示すように係合片８を係合片受部９に係合して一側底面板６と他側底面板７を連結することで１つの包装ユニット３を１つの容器１１に取付け、その天面板４でシート１４を保護する。
このように、係合片８を係合片受部９に係合するだけで包装ユニット３を容器１１に取付けできるから、その取付けに手間がかからず簡単である。
【００２４】
次に、包装用容器１、除湿器１０の具体形状の一例を説明する。
前記天面板４には空気の流通孔２０が形成してある。
この実施の形態では、天面板４に流通孔２０の外周形状に沿った流通孔切り取り線２０ａを形成し、使用時に切り取り線２０ａに沿って切り取ることで流通孔２０を形成するようにしてある。
このようにすることで、複数の除湿器１０をひとまとめにして包装している時には天面板４に流通孔２０が形成されていないから、その流通孔２０からごみ、ほこりなどが除湿器１０に付着することが防止できる。
また、使用時には簡単に天面板４に流通孔２０を形成できる。
【００２５】
前記天面板４と各側面板５との境目部分には中央折り目２１と容器取付用孔２２がそれぞれ形成してある。
例えば、中央折り目２１の中間部分２１ａを切り込み線とし、その中央折り目２１で折り曲げると切り込み線２１ａ部分が離れて容器取付用孔２２を形成するようにする。
前記各側面板５と一側底面板６、他側底面板７との境目部分には側部折り目２３と容器支持用孔２４がそれぞれ形成してある。
この容器支持用孔２４と容器取付用孔２２は対向している。
【００２６】
前記係合片８は一側底面板６の先端縁６ａに一体的に設けられて先端縁６ａよりも突出している。
この係合片８は尖端形状で、一対の係合部８ａを有する。
前記係合片受部９は、前記係合片８を挿入できると共に、挿入した係合片８を引きもどすと一対の係合部８ａが係合して抜けないようになるスリット溝形状である。
例えば、図５に示すように係合片８は、一側底面板６の先端縁６ａと連続した基片２５と、この基片２５と連続した先片２６を有し、その先片２６が基片２５よりも幅広で、基片２５よりも突出した両端部分２６ａが係合部８ａである。
前記係合片受部９は、直線状スリット溝２７と、その両端部と連続した一対の湾曲スリット溝２８を有するほぼコ字形状のスリット溝形状で、その直線状スリット溝２７の長さが基片２５の幅より長く、かつ先片２６の幅よりも短かい。前記直線状スリット溝２７と一対の湾曲スリット溝２８の合計長さは先片２６の幅よりも長い。
【００２７】
このようであるから、図５に示す状態から矢印方向に移動して係合片８の先片２６を直線状スリット溝２７、一対の湾曲スリット溝２８に挿入すると、図６に示すように係合片８の先片２６の両端部分２６ａ（係合部８ａ）が直線状スリット溝２７よりも側方に張り出すので、その先片２６の両端部分２６ａが他側底面板７における直線状スリット溝２７の両側部分に引っかかり（つまり係合）、係合片８が抜け出なくなる。
前記係合片８を抜け出す場合には、先片２６の両端部分２６ａを一対の湾曲スリット溝２８よりも奥まで移動させ、その一対の湾曲スリット溝２８から抜け出すようにする。
なお、図６は理解を容易とするために上下を反転して図示してあり、実際には図４に示すように係合片８が他側底面板７の下面から突出するように係合する。
【００２８】
前記他側底面板７における先端縁７ａと係合片受部９との間の部分に切り取り部２９が形成してある。前記隣接した側面板５間（ミシン目線２部分）に切り取りを容易とする穴５ａが形成してある。
前記包装用容器１は厚紙、樹脂プレートなど加工し易い材料であれば良い。
【００２９】
前記容器１１の口部の両側方に設けた取付部、例えばフランジ１３の口部の両側方の一部分１３ａが容器取付用孔２２に嵌まり合って、除湿器１０が包装用容器１内において運搬時などに動かないようにしっかりと包装される。
また、容器１１の下方隅角部１１ａが容器支持用孔２４に嵌まり合って、除湿器１０が包装用容器１内において運搬時等により確実に動かないようにしっかりとした状態で包装される。
【００３０】
前記各天面板４における容器取付用孔２２と対向した一部分４ａは側面板５よりも側方に突出し、その一部分４ａで容器１１のフランジ１３における容器取付用孔２２から突出した前述の一部分１３ａを被覆するようにしてある。
例えば、前記天面板４の一部分４ａの平面形状、大きさが、前記フランジ１３の一部分１３ａの平面形状・大きさとほぼ同一、好ましくは若干大きい。
【００３１】
これによって、容器１１のフランジ１３の一部分１３ａを被覆している防湿性シール１５の一部分１５ａが天面板４の一部分４ａでカバーされて目視されないので、包装した状態の見栄えが良く、そのまま店頭に陳列した場合に見栄えが良い。
つまり、除湿器１０の防湿性シール１５は通常アルミ材が用いられているので、その防湿性シール１５が目視されると見栄えが悪い。
【００３２】
複数の除湿器１０をひとまとめにして包装する場合には図３に示すように包装用容器１を展開した状態とする。
除湿器１０を上下反転して天面板４に接し、フランジ１３の一部分１３ａを切り込み線２１ａ部分に挿入する。
中央折り目２１で折った後に各側部折り目２３で折って一側底面板６と他側底面板７を重ね合わせ、他側底面板７の切り取り部２９よりも先端寄りの先端部分７ｂを一側底面板６に接着する。
このようであるから、展開した包装用容器１を折りながら複数の除湿器１０を包装できる。
【００３３】
次に、除湿器１０を使用する際のやり方について説明する。
最初に、底面板７の切り取り部２９を切り取って先端部分７ｂ（つまり、一側底面板６との接着部分）と他の部分を分離し、一側底面板６と他側底面板７の連結を断つ。
次に、各ミシン目線２から包装ユニット３を分離する。
容器１１から除湿用シート１５を剥離する。
この後に、容器１１のフランジ１３の一部分１３ａに容器取付用孔２２を嵌め込むと共に、係合片８を係合片受部９に係合して容器１１に包装ユニット３を取付ける。
【００３４】
これによって、シート１４が包装ユニット３の天面板４で保護されると共に、空気の流通孔２０で容器１１の内部に湿気を含んだ空気が入り込む。
また、天面板４の一部分４ａで容器１１のフランジ１３の一部分１３ａに接着したシート１４の突出部分１４ａが被覆されて目視されないから、見栄えが良い。
【００３５】
前述の実施の形態では、天面板４と側面板５の境界部分に形成した切り込み線２１ａを円孤形状として天面板４の円孤形状の一部分４ａを側面板５よりも突出させたが、その切り込み線２１をコ字形状として天面板４の側面板５よりも突出する一部分４ａをコ字形状としても良いし、前述の切り込み線２１ａを直線状として天面板４が側面板５よりも突出する一部分４ａを有しない形状としても良い。
【００３６】
前述の実施の形態では、包装ユニット３に容器取付用孔２２と容器支持用孔２４を形成したが、どちらか一方だけ形成しても良いし、両方とも形成しないようにしても良い。
【００３７】
前記係合片８と係合片受部９は図７に示すように、係合片８を鉤形状とし、係合片受部９を係合片８が挿通する穴形状とし、この係合片受部９と係合部８を幅方向に位置がずれたものとする。
そして、一側底面板６と他側底面板７の一方又は両方を手で持って幅方向に変位させて係合片８を係合片受部９に挿通し、手を離すことで係合片８の係合部８ａが仮想線で示すように係合片受部９よりも幅方向にずれて係合するようにしても良い。
また、図８に示すように一側底面板６の幅方向一側縁６ｂにスリット溝６ｃを形成し、他側底面板７の幅方向他側縁７ｃにスリット溝７ｄを形成し、このスリット溝６ｃ，７ｄよりも先端寄り部分を係合片８、係合片受部９とする。
そして、スリット溝６ｃ，７ｄ相互を係合して連結するようにしても良い。
【図面の簡単な説明】
【００３８】
【図１】本発明の第１の実施の形態を示す包装状態の斜視図である。
【図２】図１のＡ−Ａ断面図である。
【図３】展開した状態の包装用容器の平面図である。
【図４】除湿器の使用状態の断面図である。
【図５】係合片と係合片受部の斜視図である。
【図６】係合片と係合片受部の係合状態の斜視図である。
【図７】係合片と係合片受部の第２の実施の形態を示す斜視図である。
【図８】係合片と係合片受部の第３の実施の形態を示す斜視図である。
【符号の説明】
【００３９】
１…包装用容器、２…ミシン目線（切り取り部）、３…包装ユニット、４…天面板、４ａ…一部分、５…側面板、６…一側底面板、６ａ…先端縁、７…他側底面板、７ａ…先端縁、７ｂ…先端部分、８…係合片、８ａ…係合部、９…係合片受部、１０…除湿器、１１…容器、１３…フランジ、１３ａ…一部分、１４…シート、１５…防湿性シール、２０…流通孔、２２…容器取付用孔、２４…容器支持用孔、２９…切り取り部。
【図１】
2005088899.tif 000003
【図２】
2005088899.tif 000004
【図３】
2005088899.tif 000005
【図４】
2005088899.tif 000006
【図５】
2005088899.tif 000007
【図６】
2005088899.tif 000008
【図７】
2005088899.tif 000009
【図８】
2005088899.tif 000010